(57)【特許請求の範囲】
【請求項１】
海苔網処理槽と、濾過槽と、処理液収納槽と、薬剤を前記処理液収納槽内へ供給する薬剤供給手段と、希釈剤を前記処理液収納槽内へ供給する希釈剤供給手段と、前記処理液収納槽内に供給された薬剤および希釈剤からなる処理液のｐＨ値を検出するｐＨ検出手段と、前記海苔網処理槽内と処理液収納槽内との間で処理液を循環せしめる循環手段と、前記海苔網処理槽内の処理液を濾過槽内を通して処理液収納槽に還流させる還流手段と、前記ｐＨ検出手段による検出結果に基づいて前記処理液収納槽内の処理液のｐＨ値を所定範囲内に保持するように前記処理液収納槽内への薬剤および／または希釈剤の供給量を制御する制御手段とを有することを特徴とする海苔網薬剤処理装置。
【発明の詳細な説明】
【０００１】
【産業上の利用分野】
本発明は、海苔の養殖場に展張されている海苔網に対して、酸処理等の各種薬剤処理を行う海苔網薬剤処理装置に関する。
【０００２】
【従来の技術と発明が解決しようとする課題】
一般に、海苔養殖は海苔網に浮き子を取付けて海面部分に浮かすようにして展張して錨で止める浮き流し方式や、海中に立設した支柱に海苔網を係留して展張した支柱方式により行なわれている。この両方式の使い分けは、養殖場の立地条件により決定されている。
【０００３】
このような海苔養殖においては、海苔網に海水の水垢やゴミ等の浮遊物が付着したり、雑菌が繁殖したりする等、海苔の品質を低下させる要因がある。
【０００４】
そこで、高品質で健康な海苔を育成し、収穫率を向上させるために、海苔の刈り取りから刈り取りの間に、二回から三回程度、海苔網に対して酸処理に代表される各種の薬剤を用いた薬剤処理作業が行なわれている。また、海苔の刈り取り直後にも海苔網に対して酸処理に代表される各種の薬剤を用いた薬剤処理作業が行なわれている。
【０００５】
本出願人は特開平３−４３０２８号公報、特開平４−２２８０１５号公報等において、海苔網の下に潜って海苔網の長尺方向に進行しながら、海苔の刈り取りを行ったり、処理槽内に所定のｐＨ値に調整した処理液を入れ、この処理槽内の処理液に海苔網を浸漬通過させることによって薬剤処理を自動的に行う海苔作業船を提案している。
【０００６】
更に、本出願人は特開平８−３７９６８号公報において、処理槽内に所定のｐＨ値に調整した処理液を入れ、この処理槽内の処理液に海苔網を浸漬通過させることによって薬剤処理を行う場合に、処理液のｐＨ値を薬剤処理の効果的な範囲内に保持することのできる海苔網薬剤処理装置を提案している。即ち、海水を含む海苔網が処理液中に浸漬されることによって処理液が海水により希釈された場合に、必要量の薬剤を添加して処理液のｐＨ値を薬剤処理の効果的な範囲内に保持するようにしている。
【０００７】
本発明は、処理液のｐＨ値を薬剤処理の効果的な範囲内に保持することができ、更に、処理液が海水の水垢やゴミ、海苔の屑等の浮遊物による品質劣化を確実に防止でき、処理液の繰り返し利用を図ることができ、処理液の無駄を省くとともに、処理液を海中に捨てることを防止して自然環境の汚染を確実に防止することができ、に優しい劣化した処理液による海苔自身の劣化を確実に防止することのできる海苔網薬剤処理装置を提供することを目的とする。
【０００８】
【課題を解決するための手段】
前述した目的を達成するため本発明の海苔網薬剤処理装置は、海苔網処理槽と、濾過槽と、処理液収納槽と、薬剤を前記処理液収納槽内へ供給する薬剤供給手段と、希釈剤を前記処理液収納槽内へ供給する希釈剤供給手段と、前記処理液収納槽内に供給された薬剤および希釈剤からなる処理液のｐＨ値を検出するｐＨ検出手段と、前記海苔網処理槽内と処理液収納槽内との間で処理液を循環せしめる循環手段と、前記海苔網処理槽内の処理液を濾過槽内を通して処理液収納槽に還流させる還流手段と、前記ｐＨ検出手段による検出結果に基づいて前記処理液収納槽内の処理液のｐＨ値を所定範囲内に保持するように前記処理液収納槽内への薬剤および／または希釈剤の供給量を制御する制御手段とを有することを特徴としている。
【０００９】
このように構成した本発明の海苔網薬剤処理装置によれば、海苔網処理槽において海苔網等の薬剤処理が十分に施され、その薬剤処理に施された処理液は処理液収納槽に循環送給され、当該処理液収納槽内で処理液のｐＨ値を所定範囲内に保持するように制御され、その後この処理液が海苔網処理槽へ循環手段を通して循環送給され、再度海苔網等の薬剤処理に施される。薬剤処理が終了した後には、海苔網処理槽内の薬剤処理に施された処理液は還流手段を通して浮遊物等と一緒に濾過槽に循環送給され、処理液を劣化させる要因となる浮遊物等を確実に濾過して除去され、処理液のみが処理液収納槽に還流され、当該処理液収納槽内で処理液のｐＨ値を所定範囲内に保持するように制御されて、次の薬剤処理に供されるので、処理液の無駄を省くとともに、処理液を海中に捨てることを防止して自然環境の汚染を確実に防止することができる。
【００１０】
【発明の実施の形態】
以下、本発明を図面に示す実施の形態により説明する。
【００１１】
図１は本発明に係る海苔網薬剤処理装置の１実施形態の構成を説明する模式図である。
【００１２】
図１に示すように、本実施例の海苔網薬剤処理装置１は、海苔網処理槽２と、濾過槽３と、処理液収納槽４と、薬剤を前記処理液収納槽４内へ供給する薬剤供給手段５と、希釈剤を前記処理液収納槽４内へ供給する希釈剤供給手段６と、前記処理液収納槽４内に供給された薬剤および希釈剤からなる処理液のｐＨ値を検出するｐＨ検出手段７と、前記海苔網処理槽２内と処理液収納槽４内との間で処理液を循環せしめる循環手段８と、前記海苔網処理槽２内の処理液を濾過槽３内を通して処理液収納槽４に還流させる還流手段９と、前記ｐＨ検出手段７による検出結果に基づいて前記処理液収納槽４内の処理液のｐＨ値を所定範囲内に保持するように前記処理液収納槽４内への薬剤および／または希釈剤の供給量を制御する制御手段１０とにより形成されている。これらの構成各部は図示しない海苔作業船内に設置される。
【００１３】
各部の構成について更に説明する。
【００１４】
前記海苔網処理槽２は、図示しない海苔網を処理液Ｗを用いて薬剤処理するためのものであり、処理液収納槽４より高い位置に配設されている。そして、海苔網処理槽２の内部には、海苔網処理槽２の槽壁１１の高さより低く形成された１対の隔壁１２、１２が相互に対向するようにして設けられており、槽壁１１と隔壁１２により区画された２つの外部区画１３、１３と、２つの隔壁１３により区画された内部区画１４とにより内部が３分割されている。この内部区画１４の内部に５００〜３０００リットル程度の処理液Ｗが必要に応じて満たされ、海苔網を薬剤処理するように構成されている。従って、内部区画１４内の容量を超えて内部区画１４内に処理液Ｗが供給された場合には、処理液Ｗは、隔壁１２を越えて外部区画１３内に、いわゆるオーバーフローするように構成されている。
【００１５】
前記濾過槽３は、２０〜３０リットル程度の上面中央部に開口１７を備えた外部容器１６と、この外部容器１６の内部の中央部に形成されていて上面中央部に開口１９を備えた内部容器１８とを有している。内部容器１８の外周部は海水の水垢やゴミ、海苔の屑等の浮遊物を濾過する金網等のフィルタ２０が設けられている。また、内部容器１８内の開口１９の真下部分には内部に供給される処理液Ｗを外周方向に分散させる山形屋根状の分散体２１が設置されている。
【００１６】
前記処理液収納槽４は、少なくとも海苔網処理槽２および濾過槽３内の処理液の合計量を収容できる容量のタンク状に形成されている。そして、処理液収納槽４の内部には、処理液Ｗを構成する後述する薬剤２２および希釈剤２３が供給されるようになっている。さらに、処理液収納槽４の底部には、処理液収納槽４内に満たされた処理液Ｗを必要に応じて外部へ排出するためのドレンコック２４が設けられている。この処理液収納槽４内には、処理液収納槽４内に満たされた処理液Ｗの液面の位置を検出するレベルセンサ２５が配設されている。このレベルセンサ２５としては、処理液収納槽４内の処理液Ｗの液面の位置が、所定の位置に位置するかどうかを検出して、その検出信号を制御手段１０に送出できるものであればよく、例えば、フロートスイッチと称されるフロート式センサ、差圧式センサ、超音波式センサ、静電容量式センサ等から選択することができる。
【００１７】
前記薬剤供給手段５は、薬剤タンク３３内の薬剤２２を電磁弁により開閉される自動操作弁２６が取着されている薬剤供給配管３４を通して処理液収納槽４へ供給するように構成されている。そして、薬剤タンク３３の底部には、薬剤タンク３３内に満たされた薬剤２２を必要に応じて外部へ排出するためのドレンコック３５が設けられている。また、薬剤タンク３３は処理液収納槽４より高い位置に配設されている。
【００１８】
前記希釈剤供給手段６は、希釈剤２３として海水を用い、希釈剤用ポンプ２７により海中から海水を希釈剤供給配管３６を通して処理液収納槽４内へ直接供給するように構成されている。
【００１９】
前記ｐＨ検出手段６は、処理液収納槽４内に供給された薬剤２２および希釈剤２３からなる処理液ＷのｐＨ値を検出し、その検出信号を制御手段１０に送出できるものであればよく、本実施例においては、ｐＨセンサにより構成されている。
【００２０】
前記循環手段８は、海苔網処理槽２内の内部区画１４から各外部区画１３へオーバーフローした処理液Ｗを自然落下により処理液収納槽４内へ戻す処理液復帰配管２８のみにより形成された処理液復帰系８ａと、処理液収納槽４内の処理液Ｗを海苔網処理槽２の内部区画１４内へ送給するために、処理液収納槽４内の処理液Ｗを処理液供給用ポンプ３１により処理液供給配管３２を通して海苔網処理槽２の内部区画１４内へ送給するように構成された処理液送給系８ｂとによって構成されている。処理液復帰配管２８には仕切弁２８ａが設けられている。
【００２１】
前記還流手段９は、海苔網処理槽２内の内部区画１４内の処理液Ｗを自然落下により底部から濾過槽４内へ戻す処理液復帰配管１５により形成された処理液復帰系９ａと、濾過槽３内の処理液Ｗを内へ送給するために、濾過槽３内の処理液Ｗを処理液供給用ポンプ２９により処理液還流配管３０を通して処理液収納槽４内へ送給するように構成された処理液送給系９ｂとによって構成されている。処理液復帰配管１５には仕切弁１５ａが設けられている。
【００２２】
前記制御手段１０は、図示しないメモリ、ＣＰＵ等から構成されている。この制御手段１０には、ｐＨセンサ７により検出された処理液収納槽４内の処理液ＷのｐＨ値の検出信号と、レベルセンサ２５により検出された処理液収納槽４内に満たされた処理液Ｗの液面の位置の検出信号とがそれぞれ入力されるようになっている。
【００２３】
そして、制御手段１０は、ｐＨセンサ７により検出された処理液収納槽４内の処理液ＷのｐＨ値の検出結果（検出値）に基づいて、この検出値が、予め設定された海苔網に対する処理に効果的なｐＨ値の範囲内か否かを判断し、ｐＨ値が予め設定された範囲より小さい場合には、希釈剤用ポンプ２７を駆動して処理液収納槽４に希釈剤２３としての海水を供給し、ｐＨ値が予め設定された範囲より大きい場合には、自動操作弁を２０を開状態になるように駆動して処理液収納槽４に薬剤２２を供給するようにされている。この、制御手段１０は、循環手段８ｂおよび還流手段９ｂの処理液供給用ポンプ３１、２９を常に駆動して、それぞれ濾過槽３内の処理液Ｗを処理液収納槽４内へ送給したり、処理液収納槽４内の処理液Ｗを海苔網処理槽２内へ供給するようにされている。
【００２４】
また、制御手段１０は、レベルセンサ２５により検出された処理液収納槽４内に満たされた処理液Ｗの液面の位置の検出結果に基づいて、処理液収納槽４内の処理液Ｗの液面の位置が、所定の範囲内に位置するか否かを判断し、所定の範囲内に位置しない（処理液Ｗが少ない）場合には、自動操作弁２０および／または希釈剤用ポンプ２７を駆動して処理液収納槽４に薬剤２２および／または希釈剤２３を供給して、処理液収納槽４内の液面の位置を所定の範囲内に位置させるようにされている。
【００２５】
すなわち、本実施形態の制御手段１０は、少なくとも処理液ＷのｐＨ値を制御するｐＨ値制御部３７と、処理液収納槽４内の処理液Ｗの量を制御する処理液量制御部３８とを有している。
【００２６】
つぎに、前述した構成からなる本実施形態の作用について説明する。
【００２７】
本実施例の海苔網薬剤処理装置１は、処理液収納槽４内で、薬剤２２および希釈剤２３を調合して所定の範囲内のｐＨ値の処理液Ｗを形成し、この所定の範囲内のｐＨ値とされた処理液Ｗを処理液収納槽４から海苔網処理槽２の内部区画１４内へ循環手段８ｂを通して供給する。
【００２８】
海苔網はこの内部区画１４内の処理液Ｗ内を浸漬通過することにより所定の薬剤処理を確実に施される。次ぎに、海苔網処理槽２内で海苔網への薬剤処理に用いられ外部区画１３内にオーバーフローした処理液Ｗは、図示しないフィルタによって浮遊物等を除去されてから処理液収納槽３内へ循環手段８ａを通して自然落下によって供給される。
【００２９】
次ぎに、処理液Ｗが処理液収納槽４内へ循環されると、前記のようにして処理液収納槽４内の処理液ＷのｐＨ値が所定の範囲内に保持され、かつ、処理液収納槽４内の処理液Ｗの量が所定の範囲内に保持されるように、薬剤２２および／または希釈剤２３が処理液収納槽４内に供給される。
【００３０】
従って、本実施形態によれば、処理液収納槽４内の処理液ＷのｐＨ値をｐＨ検出手段７によってリアルタイムで検出しながら、処理液ＷのｐＨ値を所定範囲内とするための薬剤２２および／または希釈剤２３の処理液収納槽４内への供給を確実に制御することができる。そして、小容量の処理液収納槽４を用いるので、処理液収納槽４内の処理液Ｗの量が少なく、処理液ＷのｐＨ値を制御する規模を小さくすることができ、処理液収納槽４内でｐＨ値の異なる薬剤２２と希釈剤２３とを混合した場合に、処理液収納槽４内のｐＨ値（濃度）を迅速に均一とし、薬剤２２と希釈剤２３とを混合した場合の応答性を確実に向上させ、処理液ＷのｐＨ値を所定の範囲内に確実に保持することができる。
【００３１】
そして、所定の範囲内のｐＨ値とされた処理液Ｗは、再び処理液収納槽４から海苔網処理槽２へ供給され、海苔網の薬剤処理に供される。
【００３２】
このような薬剤処理が終了すると、海苔網処理槽２の内部区画１４内の薬剤処理に施された処理液Ｗは自然落下によって還流手段９ａを通して浮遊物等と一緒に濾過槽３に循環送給される。そして、開口１７、１９を順に経て濾過槽３の内部容器１８内に供給された処理液Ｗは、分散体２１によって外周部へ分散され、当該内部容器１８のフィルタ２０によって処理液Ｗを劣化させる要因となる海水の水垢やゴミ、海苔の屑等の浮遊物が確実に濾過される。内部容器１８内に残留した浮遊物は適宜な方法によって外部に取り出されるようになっている。このようにして濾過槽３の外部容器１６と内部容器１８との間に流出した浮遊物等を確実に濾過して除去された処理液Ｗのみが、次の処理液収納槽４内に還流手段９ｂを通して還流される。本実施の形態によれば、処理液Ｗの無駄を省くとともに、処理液Ｗを海中に捨てることを防止して自然環境の汚染を確実に防止することができる。
【００３３】
このように本実施形態においては、処理液Ｗが海水の水垢やゴミ、海苔の屑等の浮遊物によって品質劣化するのを確実に防止でき、処理液Ｗの無駄を省くとともに、処理液Ｗの繰り返し利用を図ることができ、劣化した処理液による海苔自身が劣化することを確実に防止することができる。
【００３４】
なお、本発明は、前記各実施例に限定されるものではなく、必要に応じて変更することができる。
【００３５】
【発明の効果】
以上説明したように本発明の海苔網薬剤処理装置によれば、処理液のｐＨ値を所定の範囲内に確実に保持することができ、海苔網への薬剤処理を効果的にかつ効率よく行うことができる、処理液が海水の水垢やゴミ、海苔の屑等の浮遊物による品質劣化を確実に防止でき、処理液の繰り返し利用を図ることができ、処理液の無駄を省くとともに、処理液を海中に捨てることを防止して自然環境の汚染を確実に防止することができ、劣化した処理液による海苔自身の劣化を確実に防止することができるという極めて優れた効果を奏する。
【図面の簡単な説明】
【図１】  本発明の海苔網薬剤処理装置の１実施形態をの構成を説明する模式図
【符号の説明】
１  海苔網薬剤処理装置
２  海苔網処理槽
３  濾過槽
４  処理液収納槽
５  薬剤供給手段
６  希釈剤供給手段
７  ｐＨ検出手段
８、８ａ、８ｂ、８ｃ  循環手段
９、９ａ、９ｂ  還流手段
１０  制御手段
２２  薬剤
２３  希釈剤
Ｗ  処理液
【図１】
0004219080.tif 000002